(57)【要約】【課題】イオンの除去効率を向上でき、更に、原液と受容液との間の圧力バランスを調整でき、特に原液がスラリーの場合に好適に用いることができる液間イオン移送装置用導電性充填材及び液間イオン移送装置を提供すること。【解決手段】除去対象となるイオンを含む原液が流通する原液流路と、該原液から除去された該イオンを受容するイオン受容液が流通する受容液流路とが、隔膜を介して並設されており、電位勾配によって、前記原液から前記イオン受容液へと前記隔膜を介して前記イオンを電気的に移送する液間イオン移送装置における前記受容液流路内に導電性充填材を充填する。【選択図】図１
2014087749.tif 000002
【特許請求の範囲】
【請求項１】
陽極及び陰極からなる１対の電極間に、除去対象となるイオンを含む原液が流通する原液流路と、該原液から除去された該イオンを受容するイオン受容液が流通する受容液流路とが、少なくとも該イオンが通過可能な隔膜を介して並設されており、前記１対の電極間に設けられた電位勾配によって、前記原液流路を流通する前記原液から前記イオン受容液流路を流通する前記イオン受容液へと前記隔膜を介して前記イオンを電気的に移送するように構成された液間イオン移送装置における前記受容液流路内に充填して用いられることを特徴とする液間イオン移送装置用導電性充填材。
【請求項２】
陽極及び陰極からなる１対の電極間に、除去対象となるイオンを含む原液が流通する原液流路と、該原液から除去された該イオンを受容するイオン受容液が流通する受容液流路とが、少なくとも該イオンが通過可能な隔膜を介して並設されており、
前記１対の電極間に設けられた電位勾配によって、前記原液流路を流通する前記原液から前記イオン受容液流路を流通する前記イオン受容液へと前記隔膜を介して前記イオンを電気的に移送するように構成された液間イオン移送装置であって、
前記受容液流路内に導電性充填材が充填されていることを特徴とする液間イオン移送装置。
【発明の詳細な説明】
【技術分野】
【０００１】
本発明は、液間イオン移送装置用導電性充填材及び該導電性充填材を備えた液間イオン移送装置に関する。
【背景技術】
【０００２】
環境汚染の防止や省資源等の観点から、廃棄物を再利用することが試みられている。
【０００３】
高含水率の流動性廃棄物は、従来、処理が困難なものとされており、これを再利用するためには、例えば、塩濃度の低減など、電荷を持つ物質の分離操作が重要な工程の一つとなることがある。
【０００４】
現在、十分に流動性のある清澄な液体に対する塩類の除去は、逆浸透法や電気透析法が一般的な手法として用いられており、例えば、海水の淡水化や、半導体製造などに使われるイオン交換水や超純水の製造などに利用されている（特許文献１）。
【先行技術文献】
【特許文献】
【０００５】
【特許文献１】特開平０９−２３９２４５号公報
【発明の概要】
【発明が解決しようとする課題】
【０００６】
本発明者は、例えば生ごみや家畜糞尿などのように、懸濁物や乳濁物を含む清澄でない液体や、固形分がなくても比較的粘度の大きい液体スラリー状の廃棄物についても有効利用することを研究し、これら原液中に高濃度で含まれる塩類（陽イオン及び又は陰イオン）が、有効利用の妨げになっていることに着目し、これを除去することを試みた。
【０００７】
しかし、従来の逆浸透法や電気透析法は、このような原液に対しては、処理が不安定となり、イオンの除去効率が十分に得られ難い問題があった。
【０００８】
更に、原液と、該原液から脱離したイオンを受容する脱離液（受容液）との間に、浸透圧や粘性の差による圧力差が生じてしまい、処理が不安定となる問題があった。
【０００９】
このような原液に対して、フィルタプレス型の電気透析槽によって、手間をかけてバッチ式でイオン除去を行うことも考えられるが、連続処理ができず、処理プロセスへの適用性に劣る問題がある。
【００１０】
また、イオン交換樹脂によってイオンを吸着除去することも考えられるが、イオン交換樹脂の取り換えが手間であり、更に、吸着後の樹脂の再生処理コストが問題となる。
【００１１】
そこで、本発明の課題は、イオンの除去効率を向上でき、更に、原液と受容液との間の圧力バランスを調整でき、特に原液がスラリーの場合に好適に用いることができる液間イオン移送装置用導電性充填材及び液間イオン移送装置を提供することにある。
【００１２】
また本発明の他の課題は、以下の記載によって明らかとなる。
【課題を解決するための手段】
【００１３】
上記課題は、以下の各発明によって解決される。
【００１４】
１．
陽極及び陰極からなる１対の電極間に、除去対象となるイオンを含む原液が流通する原液流路と、該原液から除去された該イオンを受容するイオン受容液が流通する受容液流路とが、少なくとも該イオンが通過可能な隔膜を介して並設されており、前記１対の電極間に設けられた電位勾配によって、前記原液流路を流通する前記原液から前記イオン受容液流路を流通する前記イオン受容液へと前記隔膜を介して前記イオンを電気的に移送するように構成された液間イオン移送装置における前記受容液流路内に充填して用いられることを特徴とする液間イオン移送装置用導電性充填材。
【００１５】
２．
陽極及び陰極からなる１対の電極間に、除去対象となるイオンを含む原液が流通する原液流路と、該原液から除去された該イオンを受容するイオン受容液が流通する受容液流路とが、少なくとも該イオンが通過可能な隔膜を介して並設されており、
前記１対の電極間に設けられた電位勾配によって、前記原液流路を流通する前記原液から前記イオン受容液流路を流通する前記イオン受容液へと前記隔膜を介して前記イオンを電気的に移送するように構成された液間イオン移送装置であって、
前記受容液流路内に導電性充填材が充填されていることを特徴とする液間イオン移送装置。
【発明の効果】
【００１６】
本発明によれば、イオンの除去効率を向上でき、更に、原液と受容液との間の圧力バランスを調整でき、特に原液がスラリーの場合に好適に用いることができる液間イオン移送装置用導電性充填材及び液間イオン移送装置を提供することができる。
【図面の簡単な説明】
【００１７】
【図１】本発明に係る液間イオン移送装置の一例を示す概略図
【図２】図１の液間イオン移送装置における電位勾配の状態を説明する図
【図３】本発明に係る液間イオン移送装置の他の例を示す概略図
【図４】本発明に係る液間イオン移送装置の他の例を示す概略図
【発明を実施するための形態】
【００１８】
以下に、図面を参照して本発明を実施するための形態について説明する。
【００１９】
図１は、本発明に係る液間イオン移送装置の一例を示す概略図である。
【００２０】
図１において、１は、液間イオン移送装置であり、液間イオン移送装置本体１０内において、陽極Ｃ及び陰極Ａからなる１対の電極Ｃ、Ａ間に、原液が流通する原液流路１１と、陽イオン受容液が流通する陽イオン受容液流路１２Ｃと、陰イオン受容液が流通する陰イオン受容液流路１２Ａとを備えている。
【００２１】
本発明において、原液は、除去対象となるイオンを含むものであれば格別限定されないが、例えば、直径１００μｍ以上の粒子を含有する乳濁液及び又は懸濁液であるか、あるいは粘度が１００ｃｐ以上の液などである場合は、本発明の効果が顕著となるため好ましい。ここでは、原液は、除去対象となるイオンとして、陽イオン及び陰イオンを含んでいる。
【００２２】
陽イオン受容液は、原液から除去された陽イオンを受容するための液であり、また、陰イオン受容液は、原液から除去された陰イオンを受容するための液である。
【００２３】
１１１は、原液を原液流路１１に流入する流入口であり、１１２は、原液流路１１から原液を流出する流出口である。
【００２４】
原液タンク２１に貯留された原液は、定量ポンプ３１によって所定の流量で流入口１１１から原液流路１１に導入され、該原液流路１１を流通した後、流出口１１２から流出され、処理後の原液（処理液）として処理液タンク２３に移送される。
【００２５】
また、１２１Ｃは、陽イオン受容液を陽イオン受容液流路１２Ｃに流入する流入口であり、１２２Ｃは、陽イオン受容液流路１２Ｃから陽イオン受容液を流出する流出口である。
【００２６】
陽イオン受容液は、循環タンク２２Ｃから定量ポンプ３２Ｃによって所定の流量で流入口１２１Ｃから陽イオン受容液流路１２Ｃに導入され、該陽イオン受容液流路１２Ｃを流通した後、流出口１２２Ｃから流出され、再び循環タンク２２Ｃに返送される。
【００２７】
一方、１２１Ａは、陰イオン受容液を陰イオン受容液流路１２Ａに流入する流入口であり、１２２Ａは、陰イオン受容液流路１２Ａから陰イオン受容液を流出する流出口である。
【００２８】
陰イオン受容液は、循環タンク２２Ａから定量ポンプ３２Ａによって所定の流量で流入口１２１Ａから陽イオン受容液流路１２Ａに導入され、該陽イオン受容液流路１２Ａを流通した後、流出口１２２Ａから流出され、再び循環タンク２２Ａに返送される。
【００２９】
原液流路１１、陽イオン受容液流路１２Ｃ及び陰イオン受容液流路１２Ａは、少なくとも除去対象となるイオンが通過可能な隔膜１３Ａ、１３Ｃを介して並設されている。
【００３０】
つまり、原液流路１１の陽極Ｃ側に、少なくとも陰イオンが通過可能な隔膜１３Ａを介して、陰イオン受容液流路１２Ａが並設され、一方、原液流路１１の陰極Ａ側に、少なくとも陽イオンＣが通過可能な隔膜１３Ｃを介して、陽イオン受容液流路１２Ｃが並設されている。
【００３１】
このように、本発明において、隔膜１３Ａ、１３Ｃは、少なくとも除去対象となるイオン（陰イオンあるいは陽イオン）が通過可能な膜であれば格別限定されない。例えば、イオン交換膜、透析膜のようなイオン選択透過性を有する膜を用いてもよいが、微多孔膜をより好ましく用いることができる。本発明においては、隔膜１３Ａと隔膜１３Ｃとで、同じ膜を用いることも好ましいことである。本発明において、微多孔膜としては、ＭＦ膜、ＵＦ膜又はＮＦ膜等のようなイオン選択透過性を有さない膜を好ましく用いることができる。
【００３２】
本発明においては、図１に示すように、イオン受容液流路１２Ａ、１２Ｃ内に、液の流通が可能な範囲で導電性充填材１４、１４を充填する。
【００３３】
導電性充填材１４、１４は、イオン受容液流路１２Ａ、１２Ｃ内における受容液の流通が可能な範囲で充填することができる。
【００３４】
図２は、一対の電極Ｃ、Ａ間における電位勾配を説明するグラフであり、図中、縦軸は電位を、横軸は陽極Ｃ側（グラフ左側）から陰極Ａ側（グラフ右側）までの位置を示している。
【００３５】
イオン受容液流路１２Ａ、１２Ｃ内に導電性充填材を充填することにより、図２に示すように、該イオン受容液流路１２Ａ、１２Ｃに形成される電位勾配が平坦化するため、その分、原液流路１１及びこれに隣接する隔膜１３Ａ、１３Ｃに亘って形成される電位勾配の傾斜が増大する。
【００３６】
このように構成されたイオン除去装置１において、定量ポンプ３１、３２Ｃ、３２Ａを駆動すると共に、１対の電極Ｃ、Ａ間に電位勾配を設けた状態で、原液流路１１に形成された原液による液流を、隔膜１３Ａ、１３Ｃを介して、受容液流路１２Ａ、１２Ｃに形成されたイオン受容液による液流と平行に接触させる。
【００３７】
原液流路１１を流通する原液中のイオンは、導電性充填材１４、１４の作用によって傾斜が急となった電位勾配下において、電気的な泳動によって、隔膜１３を介して原液からイオン受容液へと速やかに移動する。具体的には、原液中の陽イオンは、陰極Ａ側に設けられた陽イオン受容液流路１２Ｃを流通する陽イオン受容液中に速やかに移動し、一方、原液中の陰イオンは、陽極Ｃ側に設けられた陰イオン受容液流路１２Ａを流通する陰イオン受容液中に速やかに移動する。
【００３８】
その結果、原液流路１１から隔膜１３Ａ、１３Ｃを介してイオン受容液流路１２Ａ、１２Ｃに向かうイオン移動を促進できる効果が得られる。また、これにより、イオン受容液流路１２Ａ、１２Ｃを流通するイオン受容液の導電性が低い場合であっても、イオン移動を効率的に行うことができるようになる。その結果、一対の電極Ｃ、Ａ間に印加する電位差を低減できる効果も得られる。
【００３９】
更に、本発明においては、イオン受容液流路１２Ａ、１２Ｃにおいて、イオン受容液が導電性充填材と衝突することで乱流化し、イオン受容液の線速が増大することも、イオン移動の促進に寄与する。
【００４０】
また更に、本発明においては、導電性充填材１４、１４を設けることにより、原液流路１１側と、受容液流路１２Ａ、１２Ｃ側との圧力バランスを調整することができる。
【００４１】
脱塩処理等を必要とする原液は例えばメタン発酵消化液などであり、各種の成分を溶解しているため、一般に受容液よりも粘性や浸透圧が大きい。そのため、原液と受容液との間に生じる浸透圧や、原液と受容液の粘性の差などによって、原液流路１１内は、受容液流路１２Ａ、１２Ｃ内よりも圧力が上昇し易い。このとき、受容液流路１２Ａ、１２Ｃ内に導電性充填材１４、１４を設けることにより、受容液流路１２Ａ、１２Ｃ内の圧力を上昇させることができるため、原液流路１１側と、受容液流路１２Ａ、１２Ｃ側との圧力バランスを調整することができる。
【００４２】
例えば、浸透圧が無視できる場合は、導電性充填材１４、１４を設けることにより、原液流路１１側と、受容液流路１２Ａ、１２Ｃ側との圧力差を３００ｍｍＨ２Ｏ以下の範囲に調整することが好ましく、浸透圧を考慮する場合は当該浸透圧を相殺するように膜間差圧を設定することも好ましい。これを実現するために、導電性充填材１４、１４の選定や充填密度（又は充填量）の設定を行うことも好ましいことである。このようにして、液自身の隔膜１３Ａ、１３Ｃを通しての移動を大きく抑制できるようになる。
【００４３】
特に、隔膜１３Ａ、１３Ｃとして、イオン選択透過性を有さない微多孔膜を備える場合に、圧力差を上記範囲とすることで、イオン移送処理が安定する効果が得られる。
【００４４】
本発明において、導電性充填材１４、１４としては、例えば電子導電性を有する粒状物あるいは繊維状物等を好ましく例示でき、好ましくは嫌気下にて１２００℃以上で焼成した木炭片や炭素繊維フェルトなどの炭素材を好ましく例示できる。炭素材は炭素を骨格とする化合物を嫌気下で焼成したものが好適である。
【００４５】
導電性充填材１４、１４の形状としては、格別限定されないが、粒状、塊状あるいは繊維状等の炭化物の集合体を好ましく用いることができる。
【００４６】
このような炭素材は化学的にも安定であり、充填するに十分な強度を有している。
【００４７】
具体的には、再焼成粒状炭素（活性炭）や炭素繊維フェルト等が特に好ましい。
【００４８】
本発明では、原液流路１１を流通する原液の線速は１０ｍｍ／秒以下に調整されることが好ましい。この調整は、定量ポンプ３１の設定によって行うことができることが好ましい。
【００４９】
本発明において、原液流路１１の流路幅Ｗは２ｍｍ以上、好ましくは２．５ｍｍ以上、より好ましくは３ｍｍ以上であることが好ましい。流路幅Ｗとは、隔膜１３Ａ、１３Ｃの膜面と垂直方向における原液流路１１の幅である。
【００５０】
本発明においては、原液流路１１の流路幅Ｗが２ｍｍ以上であり、且つ原液流路１１を流通する原液の線速が１０ｍｍ／秒以下に調整されることにより、原液が、乳濁液、懸濁液あるいは高粘性液の場合において、処理が安定し、低コストであり、連続処理が可能であることにより処理プロセスへの適用性に優れ、イオンの除去効率に更に優れる効果が得られる。
【００５１】
本発明において、イオン移送処理時における原液の原液流路１１における滞留時間は、２０分以上１０時間以下の範囲に調整されることが好ましい。これにより、電極間に印加する電圧を低下させることが可能となる効果が得られる。
【００５２】
本発明においては、例えば処理量を増加する観点で、１対の電極Ｃ、Ａを複数対設けて、各１対の電極Ｃ、Ａ間に、図１と同様に、隔膜１３Ａ、１３Ｃを介して、原液流路１１と、陰イオン受容液流路１２Ａ、陽イオン受容液流路１２Ｃとを並設することも好ましい。
【００５３】
このとき、互いに隣接する陽極Ｃ及び陰極Ａは、図３に示すように、それぞれ複極仕切板Ｂの各板面によって形成することが好ましい。
【００５４】
図３の態様においても、図１に示したものと同様に、各々の陰イオン受容液流路１２Ａ及び陽イオン受容液流路１２Ｃには、導電性充填材１４、１４を充填する。
【００５５】
また、本発明に係る液間イオン移送装置においては、図４に示すように、一対の電極Ｃ、Ａ間に、隔膜１３Ａ、１３Ｃを介して原液流路１１と受容液流路１２とを交互に複数積層することも好ましいことである。
【００５６】
図４に示すように、液間イオン移送装置１において、１つの受容液流路１２を流通する受容液は、両側に配された原液流路１１、１１を流通する原液から陽イオン及び陰イオンをそれぞれ受容するため、陰イオン受容液と陽イオン受容液とを兼ねている。
【００５７】
図４の態様においては、原液流路１１の陽極Ｃ側の隔膜１３Ａを陰イオン交換膜とし、陰極Ａ側の隔膜１３Ｃを陽イオン交換膜とすることによって、当該原液流路１１から隣接する受容液流路１２に除去されたイオンが、他の原液流路１１まで移動（図中破線矢印で示したイオン移動）してしまうことを、隔膜１３Ａ、１３Ｃのイオン選択透過性により防止できる。
【００５８】
しかし、このようにイオン交換膜を用いなくても、本発明においては、導電性充填材１４、１４を充填したことにより、該導電性充填材１４、１４が障害となって、図中破線矢印で示したイオン移動を好適に防止することができる効果が得られる。
【００５９】
従って、図４の態様においても、隔膜１３Ａ、１３Ｃとして、上述したイオン選択透過性を有さない微多孔膜を好適に用いることができ、また、隔膜１３Ａと隔膜１３Ｃとで、同じ膜を好ましく用いることができる。
【００６０】
また、原液が、上述した乳濁液、懸濁液あるいは高粘性液である場合、原液流路１１の流路幅Ｗが２ｍｍ以上である場合、また、原液流路１１を流通する原液の線速が１０ｍｍ／秒以下に調整される場合は、図中破線矢印で示したイオン移動を更に好適に防止することができる効果が得られる。
【００６１】
以上の説明では、１対の電極Ｃ、Ａ間において、原液流路１１の両側に、隔膜１３（１３Ａ、１３Ｃ）を介して受容液流路１２（１２Ａ、１２Ｃ）が設けられる場合について説明したが、本発明はこれに限定されるものではなく、１対の電極Ｃ、Ａ間において、原液流路１１の陽極Ｃ側又は陰極Ａ側の何れか片側のみに、隔膜１３を介して導電性充填材１４が充填された受容液流路１２を並設してもよい。陽極Ｃ側のみに、隔膜１３を介して導電性充填材１４が充填された受容液流路１２が設けられる場合は、原液流路１１から除去される陰イオンを受容液流路１２で受容することができ、陰極Ａ側のみに、隔膜１３を介して導電性充填材１４が充填された受容液流路１２が設けられる場合は、原液流路１１から除去される陽イオンを受容液流路１２で受容することができる。原液中の除去対象となるイオンが、陰イオン又は陽イオンの何れかである場合は、上記のような方法により好適に除去することができる。
【００６２】
本発明に供される原液は、格別限定されないが、上述したように、直径１００μｍ以上の粒子を含有する乳濁液及び又は懸濁液であるか、あるいは粘度が１００ｃｐ以上の液であり、且つ除去対象となるイオンとして陽イオン及び又は陰イオンを含んでいるものを好ましく例示できる。
【００６３】
原液として、具体的には、バイオマス由来成分を含むスラリーを好ましく例示できる。
【００６４】
例えば、バイオマス由来成分を含むスラリーとしては、スラリー化した生ごみ（生ごみペースト）、家畜糞尿等を好ましく例示できる。
【００６５】
また、バイオマス由来成分を含むスラリーをメタン発酵させた後の消化液も原液として好ましく用いることができる。
【００６６】
更に、バイオマス由来成分を含むスラリーをメタン発酵に供する前の前処理としても、本発明を好ましく適用できる。
【００６７】
例えば、豚は、給餌に際して飼料に亜鉛を添加する場合があるため、家畜糞尿が豚の糞尿を含む場合は、比較的多量の亜鉛が含まれ、農地還元等の再利用に際して環境上の問題が大きいが、本発明によれば、このような重金属イオンも好適に除去できる。
【００６８】
また、本発明は、例えば、梅発酵残液等の食品加工残渣からの食塩除去や、焼酎粕濃縮液等の食品加工残渣からのカリウム塩除去にも好ましく用いることができる。もちろん、食品加工残渣に限らず、食品からの減塩等にも好適に用いることができる。
【００６９】
本発明によってイオンが除去された後の原液（処理液）は、例えばハウス栽培用の養液や、家畜用飼料として好適に用いることができる。特に、ハウス栽培用の養液として用いる場合には、ハウス内の土壌が雨に曝されないことによる蓄積塩害を防止できる効果に優れ、家畜用飼料に用いる場合には、家畜の尿管結石の原因となるカリウムを好適に除去できる効果が得られる。
【００７０】
また、本発明によれば、原液中に含まれる多価フェノール類、クエン酸、有機酸類、カリウムイオン等の有価物を、イオンとして受容液中に好適に回収でき、有価物の再利用を効率化することができる。
【００７１】
また更に、本発明では、原液として汚染土壌スラリーを好ましく処理できる。例えば、汚染土壌を水中に分散してスラリー化し、これを原液として、本発明の液間イオン移送装置で処理する。イオン化した汚染物質は受容液中に除去され、処理後の原液（処理液）から除染された土壌成分（固形分）を容易に回収できる。
【００７２】
特に、汚染物質がセシウムである場合には、本発明によって好適に受容液中に除去できることが確認された。これは、電位勾配下におけるセシウムイオンの移動速度が比較的速いことによるものと推定される。
【００７３】
本発明において、原液中に含まれる除去対象となるイオンとしては、陽イオン及び又は陰イオンであれば格別限定されない。イオンの価数は１価又は２価以上の何れであってもよく、また、単原子イオン、多原子イオン、錯イオン、クラスターイオン等の何れの形態であってもよい。
【実施例】
【００７４】
以下に、本発明の実施例について説明するが、本発明はかかる実施例に限定されない。
【００７５】
１．黒糖焼酎粕濃縮液のカリウム塩濃度低下処理
（実施例１）
図１に示したものと同様の構成を備える試験用の小型液間イオン移送装置を用いて、黒糖焼酎粕濃縮液（性状は表１に示す。）を原液として、下記試験条件で試験を行った。
【００７６】
原液流路１１における原液の原液流路１１滞留時間（ＲＴ）、試験前後におけるイオン濃度の変化、印加電圧／電流、電流効率を表２に示した。
【００７７】
＜試験条件＞
・隔膜１３、１３：ＭＦ膜（ＪＳユアサ社製、ユミクロン）
・導電性充填材１４、１４：炭素繊維フェルト
・膜面積：幅（液流と垂直方向）１０ｍｍ×高さ（液流方向）１００ｍｍ
・見かけの電極面積：同上
・原液流路１１の流路幅Ｗ＝２〜３ｍｍ
・平均送液量：０．１〜１ｍｌ／ｈｒ
【００７８】
＜性状評価項目＞
原液として用いた黒糖焼酎粕濃縮液は、黒糖焼酎粕をスクリュープレスによって夾雑物を除去した後の液側を回収し、これを多重効用蒸発缶により濃縮したものである。かかる黒糖焼酎粕濃縮液について下記の項目で性状を評価した結果を表１に示す。
・固形分濃度（ｗｔ％）：１０７℃での乾燥秤量法による
・粘度（ＰａＳ）：２０℃における振動板型粘度計法による
・粒径（直径、μｍ）：篩分別拡大鏡観察法による
・ｐＨ：ＪＩＳ  Ｋ０１０２．１２．１による
・導電率（Ｓ／ｃｍ）：ＪＩＳ  Ｋ０１０２．１３による
・ナトリウムイオン濃度（ｍｇ／Ｌ）：酸分解・原子吸光法による
・カリウムイオン濃度（ｍｇ／Ｌ）：酸分解・原子吸光法による
・亜鉛イオン濃度（ｍｇ／Ｌ）：酸分解・ＩＣＰ法による
・塩化物イオン濃度（ｍｇ／Ｌ）：イオンクロマトグラフ法による
【００７９】
【表１】
2014087749.tif 000003
【００８０】
（比較例１）
実施例１において、受容液流路１２、１２内に、導電性充填材１４、１４を充填せず、表２の試験条件としたこと以外は、実施例１と同様にして試験を行った。結果を表２に示す。
【００８１】
２．食塩水の食塩濃度低下処理
（実施例２）
実施例１において、原液を食塩水に代え、表２の試験条件としたこと以外は、実施例１と同様にして試験を行った。結果を表２に示す。
【００８２】
（比較例２）
実施例２において、受容液流路１２、１２内に、導電性充填材１４、１４を充填せず、表２の試験条件としたこと以外は、実施例２と同様にして試験を行った。結果を表２に示す。
【００８３】
【表２】
2014087749.tif 000004
【００８４】
＜評価＞
導電性充填材を用いた実施例１、２では、これを用いない比較例１、２に比べてイオン除去効率に優れることがわかる。導電性充填材によって、セル内の電気抵抗の減少、及び、液相における電位勾配が急傾斜化されたこと、更に、原液と受容液との間の圧力バランスが調整されたことがイオン除去効率、及び膜を通しての液移動の抑制の向上に寄与したものと考えられる。
【００８５】
また、実施例１、２では、隔膜１３として微多孔膜を用いる場合について示したが、本発明者は、微多孔膜をイオン交換膜に代えた場合においても、導電性充填材の充填によって実施例１、２と同様の効果が奏されることを確認した。
【符号の説明】
【００８６】
１：液間イオン移送装置
１０：液間イオン移送装置本体
１１：原液流路
１１１：流入口
１１２：流出口
１２：受容液流路
１２Ｃ：陽イオン受容液流路
１２Ａ：陰イオン受容液流路
１３、１３Ｃ、１３Ａ：隔膜
１４：導電性充填材
Ｃ：陽極
Ａ：陰極
【図１】
2014087749.tif 000005
【図２】
2014087749.tif 000006
【図３】
2014087749.tif 000007
【図４】
2014087749.tif 000008